(57)【要約】【課題】  洗濯物等の種類や量に応じて、複数本の竿を、十分な間隔を開けて配設させられ、多くの洗濯物等を余裕をもって干す（吊るす）ことができ、さらに、ベランダの外壁部に設置する場合、内側と外側に同時に干すことができて、大きな洗濯物等を干すことも可能となる物干竿受け装置を提供することを目的とする。【解決手段】  ベランダ１の外壁部17に所定間隔をもって取付けられる２つの物干竿受けユニット３，３を、備える。各物干竿受けユニット３は、外壁部17の上端縁17ａに固着される取付固定部材５と、物干竿２を保持すると共に基端部14，14が取付固定部材５に左右方向軸心Ｌ廻りに揺動固定自在として取着された２本の揺動アーム４，４と、を具備する。各揺動アーム４は、外壁部17の内側11で垂下した状態から、外側12へ水平状に突出する状態までの揺動範囲を、揺動固定自在として角度変更枢支機構７を介して取着される。【選択図】  図１
2006187591.tif 000002
【特許請求の範囲】
【請求項１】
ベランダ（１）の外壁部（17）に所定間隔をもって取付けられる２つの物干竿受けユニット (３)(３) を、備え、
各該物干竿受けユニット（３）は、上記外壁部（17）の上端縁（17ａ）に固着される取付固定部材（５）と、物干竿（２）を挿通して保持する複数個の貫孔（13）を有すると共に基端部 (14)(14) が該取付固定部材（５）に左右方向軸心（Ｌ）廻りに揺動固定自在として取着された２本の揺動アーム (４)(４) と、を具備することを特徴とする物干竿受け装置。
【請求項２】
各上記揺動アーム（４）は、上記外壁部（17）の内側（11）で垂下した状態から、上記外壁部（17）の外側（12）へ略水平状に突出する状態までの揺動範囲を、揺動固定自在として角度変更枢支機構（７）を介して取着された請求項１記載の物干竿受け装置。
【請求項３】
上記角度変更枢支機構（７）は、上記揺動アーム (４)(４) の基端部 (14)(14) を上記軸心（Ｌ）廻りに揺動自在に枢支する枢支軸（８）と、該枢支軸（８）の左右に挟持状に配設される一対の側板（９)(９）と、各該側板（９）に上記軸心（Ｌ）を中心とする仮想円上に所定ピッチをもって形成された複数の位置決め小孔（10）と、各上記揺動アーム（４）の上記基端部（14）に形成された固定小孔（15）と、左右方向外側から各上記側板（９）の上記位置決め小孔（10）及び各上記揺動アーム（４）の上記固定小孔（15）に抜差自在に差込まれる位置決め固定ピン（20）と、を具備し、
さらに、各上記物干竿受けユニット（３）に於て、上記枢支軸（８）と、上記位置決め固定ピン（20）とは、上記ベランダ（１）の内側（11）に配設される請求項２記載の物干竿受け装置。
【請求項４】
上記側板（９）の各上記位置決め小孔（10）に、雌ねじ（10ａ）が形成され、
かつ、位置決め固定ピン（20）は、該位置決め小孔（10）の該雌ねじ（10ａ）に螺着可能な雄ねじ部（21）と、該雄ねじ部（21）の先端側に形成され上記揺動アーム（４）の上記固定小孔（15）に差込まれる差込軸部（22）と、を有する請求項３記載の物干竿受け装置。
【請求項５】
各上記揺動アーム（４）は、所定の揺動範囲を揺動固定自在として角度変更枢支機構（７）を介して取着され、
該角度変更枢支機構（７）は、上記揺動アーム (４)(４) の基端部 (14)(14) を上記軸心（Ｌ）廻りに揺動自在に枢支すると共に内部孔（45）を有する筒状の枢支軸（８）を具備し、
上記枢支軸（８）の上記内部孔（45）に上記軸心（Ｌ）に沿って中央物干竿（54）を挿通して掴持固定するクランプ手段（47）を該枢支軸（８）の近傍に設けて、上記２つの物干竿受けユニット (３)(３) を該中央物干竿（54）にて相互に連結補強した請求項１記載の物干竿受け装置。
【請求項６】
上記枢支軸（８）の上記内部孔（45）には、雌ねじ部（48）が形成され、
上記クランプ手段（47）は、該雌ねじ部（48）に螺進退自在に螺合する雄ねじ部（49）と上記中央物干竿（54）を挿通させる竿挿通孔（46）とを有する第１固定具（50）及び第２固定具（51）と、該第１固定具（50）及び該第２固定具（51）で挟持状とされて該中央物干竿（54）の外周面を押圧する締付体（55）と、具備する請求項５記載の物干竿受け装置。
【請求項７】
上記締付体（55）は、縦断状切欠部（56）とテーパ状外周面（53）とを有する筒状に形成され、上記第１固定具（50）及び上記第２固定具（51）のいずれか一方の上記竿挿通孔（46）の内周面には、上記テーパ状外周面（53）に嵌合圧接すると共に該竿挿通孔（46）の一方端から他方端側へ縮径状のテーパ部（52）が設けられている請求項６記載の物干竿受け装置。
【請求項８】
上記取付固定部材（５）は、上記外壁部（17）の上端縁（17ａ）に上方から引っ掛けて固定される側面視略門型の引掛取付部材（６）を、具備する請求項１，２，３，４，５，６又は７記載の物干竿受け装置。
【発明の詳細な説明】
【技術分野】
【０００１】
本発明は、物干竿を横架状に受ける装置に関するものである。
【背景技術】
【０００２】
従来の物干竿受け装置は、壁部の垂直面に所定間隔をもって埋設されて固定される一対の固定プレートと、物干竿が挿通される複数の貫孔を有する細長帯板状の竿支持アームと、を具備し、固定プレートの一側縁部に設けられたフランジ部に、竿支持アームの基端部に設けられたブラケット部を、取付取外自在にネジ部材等で取着するものが知られている（例えば、特許文献１参照）。
【特許文献１】特開平７−３２８２８８号公報
【発明の開示】
【発明が解決しようとする課題】
【０００３】
この従来の装置では、竿支持アームは、壁部の垂直面に水平状に支持されて、使用されるものである。よって、複数本の竿を支持アームに支持させる場合、竿同士を開け得る間隔が一定なので、余裕を持たせて洗濯物等を干すことができない。
また、この装置をベランダで使用する場合、装置を取付ける（外壁部の内側）面にしか、竿支持アームを取着することができないので、シーツ等の大きな洗濯物等を干すと床面に垂れ下がってしまう。
また、固定プレートを一旦壁部に埋設したら、容易に取り出して移動させられないので、竿を使用する場所を移動したい場合には、別の固定プレートを、さらに別の箇所に埋設しなければならず、手間が掛かる。
【０００４】
そこで、本発明は、洗濯物等の種類や量に応じて、複数本の竿を、十分な間隔を開けて配設させられ、多くの洗濯物等を干す（吊るす）ことができ、さらに、ベランダの外壁部に設置する場合、内側と外側に同時に干すことができて、大きな洗濯物等を干すことも可能となる物干竿受け装置を提供することを目的とする。
また、手間を掛けずに、壁部の所望の位置に固着（セット）したり、取外して移動することができる物干竿受け装置を提供することを他の目的とする。
【課題を解決するための手段】
【０００５】
上記の目的を達成するために、本発明に係る物干竿受け装置は、ベランダの外壁部に所定間隔をもって取付けられる２つの物干竿受けユニットを、備え、各該物干竿受けユニットは、上記外壁部の上端縁に固着される取付固定部材と、物干竿を挿通して保持する複数個の貫孔を有すると共に基端部が該取付固定部材に左右方向軸心廻りに揺動固定自在として取着された２本の揺動アームと、を具備する。
また、各上記揺動アームは、上記外壁部の内側で垂下した状態から、上記外壁部の外側へ略水平状に突出する状態までの揺動範囲を、揺動固定自在として角度変更枢支機構を介して取着されている。
【０００６】
また、上記角度変更枢支機構は、上記揺動アームの基端部を上記軸心廻りに揺動自在に枢支する枢支軸と、該枢支軸の左右に挟持状に配設される一対の側板と、各該側板に上記軸心を中心とする仮想円上に所定ピッチをもって形成された複数の位置決め小孔と、各上記揺動アームの上記基端部に形成された固定小孔と、左右方向外側から各上記側板の上記位置決め小孔及び各上記揺動アームの上記固定小孔に抜差自在に差込まれる位置決め固定ピンと、を具備し、さらに、各上記物干竿受けユニット）に於て、上記枢支軸と、上記位置決め固定ピンとは、上記ベランダの内側に配設される。
また、上記側板の各上記位置決め小孔に、雌ねじが形成され、かつ、位置決め固定ピンは、該位置決め小孔の該雌ねじに螺着可能な雄ねじ部と、該雄ねじ部の先端側に形成され上記揺動アームの上記固定小孔に差込まれる差込軸部と、を有する。
【０００７】
各上記揺動アームは、所定の揺動範囲を揺動固定自在として角度変更枢支機構を介して取着され、該角度変更枢支機構は、上記揺動アームの基端部を上記軸心廻りに揺動自在に枢支すると共に内部孔を有する筒状の枢支軸を具備し、上記枢支軸の上記内部孔に上記軸心に沿って中央物干竿を挿通して掴持固定するクランプ手段を該枢支軸の近傍に設けて、上記２つの物干竿受けユニットを該中央物干竿にて相互に連結補強した。
【０００８】
また、上記枢支軸の上記内部孔には、雌ねじ部が形成され、上記クランプ手段は、該雌ねじ部に螺進退自在に螺合する雄ねじ部と上記中央物干竿を挿通させる竿挿通孔とを有する第１固定具及び第２固定具と、該第１固定具及び該第２固定具で挟持状とされて該中央物干竿の外周面を押圧する締付体と、具備する。
また、上記締付体は、縦断状切欠部とテーパ状外周面とを有する筒状に形成され、上記第１固定具及び上記第２固定具のいずれか一方の上記竿挿通孔の内周面には、上記テーパ状外周面に嵌合圧接すると共に該竿挿通孔の一方端から他方端側へ縮径状のテーパ部が設けられている。
また、上記取付固定部材は、上記外壁部の上端縁に上方から引っ掛けて固定される側面視略門型の引掛取付部材を、具備する。
【発明の効果】
【０００９】
本発明は、次のような著大な効果を奏する。
各物干竿受けユニットは、２本の物干竿保持用の揺動アームが、外壁部の上端縁で左右方向軸心廻りに揺動固定自在として、取着されるので、洗濯物等の種類や量に応じて、２本の揺動アームを揺動させ角度を相違させて固定することで、複数本の物干竿を、十分な間隔をもって配設させることができて、多くの洗濯物等を、余裕をもたせて干す（吊るす）ことができる。
【００１０】
また、揺動アームを、外壁部の外側に突出する状態で固定することもできるので、外側で、シーツ等の大きな洗濯物を干すことができる。
そして、一の揺動アームを、外壁部の外側へ突出する状態で固定し、かつ、他の揺動アームを、内側へ突出する状態で固定すれば、外壁部の内外で同時に複数本の物干竿を支持できるので、一層多くの洗濯物を干すことができる。
使用しない場合には、両揺動アームを、外壁部の内側で垂下した状態にすれば、コンパクトに収納できる。
【００１１】
また、中央物干竿を利用してより多くの洗濯物等を、余裕をもたせて干す（吊るす）ことができる。また、中央物干竿，クランプ手段にて２つの物干竿受けユニットが強固に連結一体化されるので、物干竿受けユニット単独では外壁部へ強固に取り付けできないような凹凸のある外壁部においても、中央物干竿により各物干竿受けユニットが横倒れするのを防ぐことができる。
また、クランプ手段を枢支軸に一体状に取り付けることができ、省スペース性に優れる。また、中央物干竿の取付け・取外し作業が簡単である。
また、クランプ手段にて中央物干竿を固定した状態においても、容易に揺動アームの角度変更を行い得る。
また、第１固定具若しくは第２固定具を回転させたときにその回転量に応じてスムーズに締付体を縮径（又は拡径）させることができ、中央物干竿の所望の位置を簡単に掴持できる。
【００１２】
また、引掛取付部材によって、物干竿受けユニットを、容易に外壁部の上端縁に取付け・取外しすることができるので、物干竿受けユニットを，所望の位置に、手間を掛けずに固着（セット）することができる。
物干竿受けユニットのセッティング位置を移動したい場合にも、手間を掛けずに、迅速に取外して移動することができる。
【発明を実施するための最良の形態】
【００１３】
以下、実施の形態を示す図面に基づき、本発明を詳説する。
図１，図２，図３及び図４に示すように、本発明に係る物干竿受け装置は、ベランダ１の外壁部17に所定間隔をもって取付けられる２つの物干竿受けユニット３，３を、備える。各物干竿受けユニット３は、外壁部17の上端縁17ａに固着される取付固定部材５と、物干竿２を保持すると共に基端部14，14が取付固定部材５に左右方向軸心Ｌ廻りに揺動固定自在として取着された２本の揺動アーム４，４と、を具備する。ここでは、外壁部17の長手方向を、左右方向と定義する。
各揺動アーム４は、細長帯板状に形成されると共に、物干竿２が挿通される複数個の貫孔13…が、長手方向に所定ピッチで形成されている。
【００１４】
また、各物干竿受けユニット３に於て、取付固定部材５は、揺動アーム４を左右方向軸心Ｌ廻りに基端部14にて揺動自在に保持すると共に角度を変更して固定する角度変更枢支機構７と、角度変更枢支機構７の下部に設けられると共に外壁部17の上端縁17ａに上方から引っ掛けて固定される側面視略門型の引掛取付部材６と、を具備する。
【００１５】
角度変更枢支機構７は、両揺動アーム４，４の基端部14，14を軸心Ｌ廻りに揺動自在に枢支する枢支軸８と、枢支軸８の左右に挟持状に配設される一対の側板９，９と、各側板９に軸心Ｌを中心とする側面視仮想円上に所定ピッチをもって形成された複数の位置決め小孔10…と、各揺動アーム４の基端部14に形成された固定小孔15と、左右方向外側から各側板９の択一した位置決め小孔10及び各揺動アーム４の固定小孔15に抜差自在に差込まれる位置決め固定ピン20と、を具備する。
さらに具体的には、各揺動アーム４は、枢支軸８が挿嵌され枢支軸８の外径よりも僅かに大きく形成された軸受孔24が、基端部14に形成される。かつ、固定小孔15は、貫孔13…のうち最も基端部14側の貫孔13と、軸受孔24との同一直線上中間位置に配設される。
【００１６】
また、側板９について具体的に説明すると、各側板９は、略二等辺三角形状部９ａと、その略二等辺三角形状部９ａの底辺から膨出状に形成された半円弧状部９ｂと、が一体成型されて成り、半円弧状部９ｂを外壁部17の内側11の方向に上方傾斜状として、配設される。かつ、各側板９は、半円弧状部９ｂの仮想中心位置近傍に、枢支軸８が挿嵌されると共にその端部が固着される軸固定孔29を、有する。なお、側板９に形成された複数の位置決め小孔10…は、軸心Ｌを通る鉛直線上に上下一対として配設される小孔10，10と、軸心Ｌを通る水平線上に前後一対として配設される小孔10，10とが、含まれるのが望ましい。  また、側板９の略二等辺三角形状部９ａの頂点部位に、高さ位置調節棒40が、下方に垂設され、かつ、高さ位置調節棒40は、複数の位置決め用小孔41…が、上下方向に所定ピッチをもって形成される。
また、側板９の各位置決め小孔10に、雌ねじ10ａが形成され、かつ、位置決め固定ピン20は、位置決め小孔10の雌ねじ10ａに螺着可能な雄ねじ部21と、雄ねじ部21の先端側に形成され揺動アーム４の固定小孔15に差込まれる差込軸部22と、を有する。
【００１７】
次に、引掛取付部材６は、細長帯板状の板材を中間で直角に折曲て成り一端32ａが外壁部17の上端縁17ａの外側面19に当接すると共に他端32ｂが上端縁17ａの上面にて上方へ折曲げられた外側引掛部材32と、外側引掛部材32の他端32ｂに形成された小孔34に外側12から内側11方向に通される細長ねじ部材33と、縦長帯板状に形成され上下中間位置に外壁部17の上端縁17ａの内側面18に当接する挟持突部35を有すると共に上端に細長ねじ部材33が前進後退自在に螺合される雌ねじ部付き中空小ブロック部36を有する内側引掛部材31と、を具備する。細長ねじ部材33のねじ頭部は、外側引掛部材32の他端32ｂに係止する。
【００１８】
さらに、内側引掛部材31は、高さ位置調節棒40が上下方向に挿通されるガイド孔部39ａ，39ａを有する上下一対のガイドリング部材39，39と、両リング部材39，39の間に配設され高さ位置調節棒40が挿通されるガイド孔部43ａを有すると共に（後述の）位置決めピン42が横方向から挿通される小孔44を有する位置決めリング部材43とが、内側の面に突設される。位置決めピン42は、位置決めリング部材43の小孔44と、高さ位置調節棒40の小孔41とに、挿通される。
また、上述の構成からも明らかなように、各物干竿受けユニット３に於て、枢支軸８と、位置決め固定ピン20とは、ベランダ１の内側11に配設される。
【００１９】
次に、本発明の物干竿受け装置の使用方法及び作用について説明する。
図１，図２，図３に於て、先ず、各物干竿受けユニット３の取付けと高さ調節について説明すると、引掛取付部材６を、ベランダ１の外壁部17の上端縁17ａの内・外側面18，19に各引掛部材31，32を当接させるようにして、上方から引っ掛ける。
そして、細長ねじ部材33を中空小ブロック部36の雌ねじ部に螺合すると、各引掛部材31，32は相互に引き付けられ、外壁部17の上端縁17ａを強く挟持して固着される。
次に、高さ位置調節棒40を、ガイドリング部材39，39と位置決めリング部材43に挿嵌して上下にスライドさせて、位置決めピン42を、２つの小孔44，41に、挿通させて位置決めをする。同様に、別の物干竿受けユニット３も、所定間隔をもって取付ける。
【００２０】
そして、各ユニット３に於て、２本の揺動アーム４，４のうち、一の揺動アーム４Ａを軸心Ｌ廻りに内側11に揺動させ、所望の角度（図例では上方傾斜状態）にして、固定ピン20を一の側板９の小孔10の雌ねじ10ａに螺着すると共に揺動アーム４Ａの固定小孔15に差込んで、固定する。
一方、他の揺動アーム４Ｂを揺動させ、外側12に所望の角度（図例では水平状態）にして、固定ピン20を同様の手順で差して、固定する。
そして、各揺動アーム４Ａ，４Ｂの貫孔13…に、物干竿２…を挿通すれば、外壁部17の内側11と外側12で、同時に洗濯物を干すことができる。
【００２１】
そして、揺動アーム４を、外壁部17の外側12に突出させて使用する場合、枢支軸８と固定ピン20は、内側11に配設されており、（即ち、外壁部17の内側面18よりも内側11に配設されているので、）図２の矢印Ｆのような外力が側板９に作用する。その外力Ｆによって、ユニット３は内側11へ倒れようとするので、安全上好ましい。
【００２２】
また、物干竿受けユニット３のセッティング場所を移動する際は、引掛取付部材６を、既述の固着（セット）と逆の手順を行い、外壁部17の上端縁17ａから取外して、所望の位置に移動して、既述と同様の手順で固着する。
また、図４は、両揺動アーム４Ａ，４Ｂを、外壁部17の内側11に、角度を相違させて配設した状態を示す。各揺動アーム４Ａ，４Ｂに、物干竿２…を挿通して使用する。
あるいは、図示省略するが、両揺動アーム４Ａ，４Ｂを、外側12に、角度を相違させて配設してもよく、この場合も、枢支軸８と固定ピン20は、内側11に配設されており、（即ち、外壁部17の内側面18よりも内側11に配設されているので、）ユニット３は内側11へ倒れようとするので、安全上好ましい。
【００２３】
次に、図５〜図10に於て、本発明の他の実施の形態に係る物干竿受け装置を示す。
この他の実施形態に係る物干竿受け装置では、図１〜図４に示した物干竿受け装置と同様、各揺動アーム４が、所定の揺動範囲（外壁部17の内側11で垂下した状態から、外壁部17の外側12へ略水平状に突出する状態までの揺動範囲）を揺動固定自在として角度変更枢支機構７を介して取着されている。そして、角度変更枢支機構７は、揺動アーム４，４の基端部14，14を軸心Ｌ廻りに揺動自在に枢支する枢支軸８を具備しており、枢支軸８は一対の側板９，９にて挟持状とされている。さらに、側板９の略二等辺三角形状部９ａの頂点部位には、高さ位置調節棒40が下方に垂設されている。
しかしながら、枢支軸８が内部孔45を有する筒状である点、及び、この枢支軸８の内部孔45に軸心Ｌに沿って中央物干竿54を挿通して掴持固定するクランプ手段47を枢支軸８の近傍に設けて２つの物干竿受けユニット３，３を中央物干竿54にて相互に連結補強している点が、図１〜図４に示した物干竿受け装置と大きく異なっている。つまり、別の言い方をすれば、図５〜図10の物干竿受け装置は、物干竿受けユニット３，３を連結補強する補強部材（中央物干竿54）を備えた装置であって、その補強部材（中央物干竿54）が洗濯物等を吊るす（干す）ための物干竿を兼用するものである。
【００２４】
より詳しくこの物干竿受け装置について説明すると、図７〜図９に示すように、枢支軸８の内部孔45には、雌ねじ部48が形成されている。
また、クランプ手段47は、第１固定具50と、第２固定具51と、第１固定具50及び第２固定具51で挟持状とされて中央物干竿54の外周面を押圧する締付体55と、具備している。
締付体55は、例えばゴム製や樹脂製であり、縦断状切欠部56とテーパ状外周面53とを有する筒状に形成されている。また、締付体55の締付孔58（筒の内部側の孔）には、中央物干竿54が挿通されるようになっている。
第１固定具50及び第２固定具51は、内部孔45の雌ねじ部48に螺進退自在に螺合する雄ねじ部49と中央物干竿54を挿通させる竿挿通孔46とを有している。そして、第１固定具50は内部孔45の一方端側から挿入状に取り付けられると共に、第２固定具51は、内部孔45の他方端側から挿入状に取り付けられるようになっている。また、第１固定具50及び第２固定具51は、夫々、取付状態で外側となる端部に外鍔状のつまみ部57を有し、このつまみ部57を回転させて、内部孔45への挿入量を調節できるようになっている。
【００２５】
また第１固定具50及び第２固定具51のいずれか一方（この実施形態においては第１固定具50）の竿挿通孔46の内周面には、締付体55のテーパ状外周面53に嵌合圧接すると共に竿挿通孔46の一方端（内方端）から他方端（外方端）側へ縮径状のテーパ部52が設けられている。
第１固定具50若しくは第２固定具51のつまみ部57を回転させて内部孔45への挿入量を増大させれば、その量に応じて締付体55のテーパ部52への食い込み量も増大して締付体55は縮径することになる。そして、締付体55の締付孔58の内周面略全体で中央物干竿54を締め付けて固定するようになっている。
なお、上述したクランプ手段47で固定される中央物干竿54は、揺動アーム４，４の貫孔13…に挿通される物干竿２…よりも剛性の高い材質で形成されている。これにより、通常の物干竿２…の材質を使用するよりも、２つの物干竿受けユニット３，３を連結補強する効果を大きくしている。
【００２６】
また、図６及び図７に於て、図１〜図４に示した物干竿受け装置と同様、取付固定部材５は、外壁部17の上端縁17ａに上方から引っ掛けて固定される側面視略門型の引掛取付部材６を具備しているが、その細部の構造が相違している。
具体的にその違いを述べると、引掛取付部材６は、横断面凹型かつ全体形状がＬ字状の外側引掛部材59と、外壁部17の上端縁17ａの内側面18側に配設されるチャンネル状部60とチャンネル状部60の長手方向に直角状となるようにチャンネル状部60の上端部に溶接される細長ブロック部61とを有する内側引掛部材62と、を有している。
外側引掛部材59の一端部には、固定具用ねじ孔63が形成され、他端部には、所定ピッチの複数の小孔66…が形成されている。
固定具用ねじ孔63には、固定具用ねじ孔63に螺進退自在に螺合されるねじ部64を有する固定具65が取り付けられている。この固定具65は、締め付けにより外壁部17の上端縁17ａの外側面19を押圧するようになっている。
【００２７】
内側引掛部材62の細長ブロック部61には、外側引掛部材59の小孔66…と同ピッチの複数の取付けねじ孔67…が設けられている。ねじ孔67と小孔66とを合わせるように細長ブロック部61の上に外側引掛部材59を被せた状態において、ねじ孔67には、固定ねじ77が螺合される。この構造により、内側引掛部材62の細長ブロック部61と外側引掛部材59との結合状態を一旦解除してねじ孔67と小孔66の位置をずらすことができ、厚さが異なる種々の外壁部に対応することができるようになっている。
また、内側引掛部材62のチャンネル状部60には、一対の出代調節ねじ孔69, 69が形成され、各出代調節ねじ孔69には、ねじ付出代調節盤70が螺進退自在に螺合されている。ねじ付出代調節盤70は、その盤状の先端にて外壁部17の上端縁17ａの内側面18に当接するようになっている。そして、このねじ付出代調節盤70を回すことにより、チャンネル状部60と外壁部17の上端縁17ａの内側面18との距離を調節することができるようになっている。
また、チャンネル状部60には、高さ位置調節棒40が上下方向に挿通されるガイド孔部68ａを有するガイドリング部材68と、ガイドリング部材68の上方に配設され高さ位置調節棒40が挿通されるガイド孔部71ａを有すると共に位置決めピン42が横方向から挿通される小孔72を有する位置決めリング部材71とが、内側の面に突設されている。
【００２８】
なお、上述した他の実施形態の物干し竿受け装置において、中央物干竿54と外壁部17の上端縁17ａの内側面18との距離Ｘ（図６参照）は、揺動アーム４，４の貫孔13…に挿通される物干竿２と外壁部17の上端縁17ａの内側面18との距離よりも小さいものとなる。しかしながら、（中央物干竿54を挿通する内部孔45を有する）枢支軸８は、外壁部17の内側11の方向に上方傾斜状となった側板９の半円弧状部９ｂの仮想中心位置近傍に配設されているので、距離Ｘは、十分に大きなものとなっている。例えば、距離Ｘ＝ 120mm以上に設定されている。従って、余裕を持って中央物干竿54に洗濯物等を吊り下げることができる。  他の構造は、図１〜図４に示した物干竿受け装置と同様である。
【００２９】
なお、本発明は、上述の実施の形態に限定されず、本発明の要旨を逸脱しない範囲で設計変更可能である。例えば、本実施形態では、クランプ手段47は、第１固定具50と第２固定具51と締付体55とを具備すると共に、締付体55が縦断状切欠部56とテーパ状外周面53とを有する場合を例示したが、本発明はこれに限らず、クランプ手段を別の構造としてもよい。例えば、図11に示すように、縦断状切欠部56を有する締付体55として、軸心両方向にテーパ状外周面53, 53を形成したものを用い、かつ、第１，第２固定具50, 51共にテーパ部52を形成するも自由である。あるいは、図12に示すように、容易に弾性変形するゴム製リングでもって締付体55を形成し、その変形により、中央物干竿54の外周面を押圧するように構成してもよい。
また、第２固定具51と締付体55とを一体状に形成してもよい。このようにすれば、部品点数を少なくできる。
【００３０】
以上のように、本発明に係る物干竿受け装置は、ベランダ１の外壁部17に所定間隔をもって取付けられる２つの物干竿受けユニット３，３を、備え、各物干竿受けユニット３は、外壁部17の上端縁17ａに固着される取付固定部材５と、物干竿２を挿通して保持する複数個の貫孔13を有すると共に基端部14，14が取付固定部材５に左右方向軸心Ｌ廻りに揺動固定自在として取着された２本の揺動アーム４，４と、を具備するので、洗濯物等の種類や量に応じて、２本の揺動アーム４，４を揺動させ角度を相違させて固定することで、複数本の物干竿２…を、十分な間隔をもって配設させることができて、多くの洗濯物等を、余裕をもたせて干す（吊るす）ことができる。
【００３１】
また、各揺動アーム４は、外壁部17の内側11で垂下した状態から、外壁部17の外側12へ略水平状に突出する状態までの揺動範囲を、揺動固定自在として角度変更枢支機構７を介して取着されているので、揺動アーム４を外側12に突出する状態で固定すれば、外側12で、シーツ等の大きな洗濯物を干すことができる。
また、一の揺動アーム４を、外壁部17の外側12へ突出する状態で固定し、かつ、他の揺動アーム４を、内側11へ突出する状態で固定すれば、外壁部17の内外で同時に複数本の物干竿２…を支持できるので、一層多くの洗濯物を干すことができる。
また、使用しない場合には、両揺動アーム４，４を、外壁部17の内側11で垂下した状態にすれば、コンパクトに収納できる。
【００３２】
また、角度変更枢支機構７は、揺動アーム４，４の基端部14，14を軸心Ｌ廻りに揺動自在に枢支する枢支軸８と、枢支軸８の左右に挟持状に配設される一対の側板９，９と、各側板９に軸心Ｌを中心とする仮想円上に所定ピッチをもって形成された複数の位置決め小孔10と、各揺動アーム４の基端部14に形成された固定小孔15と、左右方向外側から各側板９の位置決め小孔10及び各揺動アーム４の固定小孔15に抜差自在に差込まれる位置決め固定ピン20と、を具備し、さらに、各物干竿受けユニット３に於て、枢支軸８と、位置決め固定ピン20とは、ベランダ１の内側11に（即ち、外壁部17の内側面18よりも内側11に）配設されるので、固定ピン20を、側板９の位置決め小孔10…のうちの択一した小孔10と、揺動アーム４の固定小孔15とに差込むことによって、所望の角度に揺動させた揺動アーム４を、確実に固定することができる。かつ、図２の矢印Ｆのような外力が側板９に作用する。その外力Ｆによって、ユニット３は内側11へ倒れようとするので、安全上好ましい。  また、固定ピン20を抜取れば、揺動アーム４は揺動自在となり、容易に角度を変更することができる。
このように、固定ピン20を抜差しすることで、容易に揺動アーム４の角度を変更することができ、かつ確実に固定することができる。
【００３３】
また、側板９の各位置決め小孔10に、雌ねじ10ａが形成され、かつ、位置決め固定ピン20は、位置決め小孔10の雌ねじ10ａに螺着可能な雄ねじ部21と、雄ねじ部21の先端側に形成され揺動アーム４の固定小孔15に差込まれる差込軸部22と、を有するので、固定ピン20の雄ねじ部21を側板９の雌ねじ10ａに螺着すれば、固定ピン20が不意に外れることがなく、使用中に、揺動アーム４を固定した状態で、確実に保持させることができる。
【００３４】
また、各揺動アーム４は、所定の揺動範囲を揺動固定自在として角度変更枢支機構７を介して取着され、角度変更枢支機構７は、揺動アーム４，４の基端部14，14を上記軸心Ｌ廻りに揺動自在に枢支すると共に内部孔45を有する筒状の枢支軸８を具備し、枢支軸８の内部孔45に軸心Ｌに沿って中央物干竿54を挿通して掴持固定するクランプ手段47を枢支軸８の近傍に設けて、２つの物干竿受けユニット３，３を中央物干竿54にて相互に連結補強したので、揺動アーム４，４の貫孔13…に挿通された物干竿２にて洗濯物等を干す（吊るす）だけでなく、中央物干竿54を利用してより多くの洗濯物等を、余裕をもたせて干す（吊るす）ことができる。
また、中央物干竿54，クランプ手段47にて２つの物干竿受けユニット３，３が強固に連結一体化されるので、物干竿受けユニット３単独では強固に取り付けできないような凹凸のある外壁部17においても、中央物干竿54により各物干竿受けユニット３が横倒れするのを防ぐことができる。また、風等の外力に強い構造の物干竿受け装置とすることができる。
【００３５】
また、枢支軸８の内部孔45には、雌ねじ部48が形成され、クランプ手段47は、雌ねじ部48に螺進退自在に螺合する雄ねじ部49と中央物干竿54を挿通させる竿挿通孔46とを有する第１固定具50及び第２固定具51と、第１固定具50及び第２固定具51で挟持状とされて中央物干竿54の外周面を押圧する締付体55と、具備するので、クランプ手段47を枢支軸８に一体状に取り付けることができ、省スペース性に優れる。また、第１固定具50若しくは第２固定具51を回転させるだけで中央物干竿54の固定と固定解除とを行うことができるので、中央物干竿54の取付け・取外し作業が簡単である。
また、クランプ手段47にて中央物干竿54を固定した状態においても、容易に揺動アーム４，４の角度変更を行い得る。
【００３６】
また、締付体55は、縦断状切欠部56とテーパ状外周面53とを有する筒状に形成され、第１固定具50及び第２固定具51のいずれか一方の竿挿通孔46の内周面には、テーパ状外周面53に嵌合圧接すると共に竿挿通孔46の一方端から他方端側へ縮径状のテーパ部52が設けられているので、第１固定具50若しくは第２固定具51を回転させたときにその回転量に応じてスムーズに締付体55を縮径（又は拡径）させることができ、中央物干竿54の所望の位置を簡単に掴持できる。
【００３７】
また、取付固定部材５は、外壁部17の上端縁17ａに上方から引っ掛けて固定される側面視略門型の引掛取付部材６を、具備するので、物干竿受けユニット３を、容易に外壁部17の上端縁17ａに取付け・取外しすることができ、所望の位置に、手間を掛けずに固着（セット）することができる。
物干竿受けユニット３のセッティング位置を移動したい場合にも、手間をかけずに、迅速に取外して移動することができる。
【図面の簡単な説明】
【００３８】
【図１】本発明に係る物干竿受け装置の実施の一形態を示す斜視図である。
【図２】要部一部断面側面図である。
【図３】拡大図であって、（Ａ）は一部断面平面拡大図で、（Ｂ）は要部斜視拡大図である。
【図４】側面図である。
【図５】他の実施の形態に係る物干竿受け装置を示す斜視図である。
【図６】要部一部断面側面図である。
【図７】一部断面平面拡大図である。
【図８】クランプ手段を示す斜視図である。
【図９】クランプ手段の構成部品を枢支軸に取付ける際の状況を示す一部断面要部拡大図である。
【図１０】図５の状態から揺動アームを揺動させた状態を示す物干竿受け装置の斜視図である。
【図１１】他のクランプ手段を示す断面側面図である。
【図１２】さらに他のクランプ手段を示す断面側面図である。
【符号の説明】
【００３９】
１  ベランダ
２  物干竿
３  物干竿受けユニット
４  揺動アーム
５  取付固定部材
６  引掛取付部材
７  角度変更枢支機構
８  枢支軸
９  側板
10  位置決め小孔
10ａ  雌ねじ
11  内側
12  外側
13  貫孔
14  基端部
15  固定小孔
17  外壁部
17ａ  上端縁
20  位置決め固定ピン
21  雄ねじ部
22  差込軸部
45  内部孔
46  竿挿通孔
47  クランプ手段
48  雌ねじ部
49  雄ねじ部
50  第１固定具
51  第２固定具
52  テーパ部
53  テーパ状外周面
54  中央物干竿
55  締付体
56  縦断状切欠部
Ｌ  軸心
【図１】
2006187591.tif 000003
【図２】
2006187591.tif 000004
【図３】
2006187591.tif 000005
【図４】
2006187591.tif 000006
【図５】
2006187591.tif 000007
【図６】
2006187591.tif 000008
【図７】
2006187591.tif 000009
【図８】
2006187591.tif 000010
【図９】
2006187591.tif 000011
【図１０】
2006187591.tif 000012
【図１１】
2006187591.tif 000013
【図１２】
2006187591.tif 000014